(57)【要約】【課題】  自家消費量または予測量を超える農作物の収穫量があった場合、予め設定した予測量を超えた収穫物については購入希望者または予め指定した配送先に有料または無料で配送し、収穫物の無駄をなくすることができるようにしたシステムを提供すること。【解決手段】  遠隔地の農地を借り受けて農家等の栽培支援者の協力によって所望の作物を栽培し、収穫物を得る遠隔地作物栽培支援システムにおいて、前記収穫物の収穫目標値を設定する手段と、設定した収穫目標値を超えた量の収穫物について予め指定した配送先へ配送、または購入希望者からの購入申し込みを受付けて配送する手段を備える。【選択図】      図２
2007011587.tif 000002
【特許請求の範囲】
【請求項１】
遠隔地の農地を借り受けて農家等の栽培支援者の協力によって所望の作物を栽培し、収穫物を得る遠隔地作物栽培支援システムであって、
前記収穫物の収穫目標値を設定する手段と、設定した収穫目標値を超えた量の収穫物について予め指定した配送先へ配送、または購入希望者からの購入申し込みを受付けて配送する手段を備えることを特徴とする遠隔地作物栽培支援システム。
【発明の詳細な説明】
【技術分野】
【０００１】
本発明は、遠隔地の農地に農家等の支援を受けながら栽培した作物の生育状況を日々観察しながら作物の栽培を支援するシステムに係り、特に、予測量を超える収穫量があった場合に、予測量を超えた収穫物を購入希望者や予め指定した配送先に有料または無料で配送することを支援する遠隔地作物栽培支援システムに関する。
【背景技術】
【０００２】
近年、一般家庭では家庭菜園などが行われるようになってきているが、都心部の人々は、土地が狭く本格的な作物の栽培の実施は非常に困難な状況である。また、近隣の農家の土地を借用し、作物を栽培するということも行われているが、農地への移動時間や、収穫物の輸送方法などの問題があり、気軽に利用できるものではない。
また、野菜や果物などを栽培する地方の農家では、後継者不足などにより、栽培農地を管理しきれず、農地を持て余している状態となっている。
そこで、従来において、下記の特許文献１および２で提案されているようなシステムがある。
【特許文献１】特開２００２−１７６８５５
【特許文献２】特開２００２−２６９１７３
【０００３】
特許文献１に開示された遠隔地農業支援システムは、農作物が栽培される土地の近傍に該土地を撮影するカメラを設置し、そのカメラで撮影した画像を遠隔地に住む農作物栽培希望者の端末装置で受信可能なように構成し、農作物の状態を確認できるようにしたものである。
特許文献２に開示された栽培作物推奨システムは、作物について専門知識のないユーザが、栽培地域および栽培時期に適した作物および栽培方法の情報を簡便に得られるように、サーバ上に作物データベース、土壌データベース、地図データベースを設け、ユーザ端末からサーバの作物推奨ホームページにアクセスし、栽培地域、栽培時期を入力すると、その栽培地域および栽培時期に適した作物および栽培方法をユーザ端末に返信するようにしたものである。
これらの２つの特許文献１，２に開示された方法を組み合わせると、農作物の栽培希望者は、自身が希望する農作物の栽培地域および栽培時期を特許文献１に開示された方法により確認し、その栽培地域に農地を借り、その農家または近隣の農家に作物の種まきや植え付けを依頼し、所定の時期に収穫された農作物を届けてもらうことができる。そして、特許文献１に開示された方法により、農作物の日々の生育状況を自宅に居ながら簡単に確認することができる。
【発明の開示】
【発明が解決しようとする課題】
【０００４】
しかしながら、上記特許文献１，２では、自家消費量を超えた収穫量があった場合については何ら考慮していない。したがって、自家消費量を超える収穫量があった場合には、農家に適当に処分してもらうしかなく、収穫を楽しみにしながら栽培した作物が無駄になってしまうという問題がある。
【０００５】
本発明の目的は、自家消費量または予測量を超える農作物の収穫量があった場合、予め設定した予測量を超えた収穫物については購入希望者または予め指定した配送先に有料または無料で配送し、収穫物の無駄をなくすことができるようにした遠隔地作物栽培支援システムを提供することにある。
【課題を解決するための手段】
【０００６】
上記目的を達成するために、本発明は、遠隔地の農地を借り受けて農家等の栽培支援者の協力によって所望の作物を栽培し、収穫物を得る遠隔地作物栽培支援システムであって、前記収穫物の収穫目標値を設定する手段と、設定した収穫目標値を超えた量の収穫物について予め指定した配送先へ配送、または購入希望者からの購入申し込みを受付けて配送する手段を備えることを特徴とする。
【発明の効果】
【０００７】
本発明によれば、収穫量に応じて、余剰の収穫物をお歳暮やお中元などとして、自動的に予め指定したお届け先住所に送付することや、スーパーや一般家庭に販売することで、収穫物の無駄をなくすことができるうえ、収入を得ることも可能となる。
【発明を実施するための最良の形態】
【０００８】
以下、本説明を実施する場合の一形態を、図面を参照して具体的に説明する。
図１は、本発明の実施形態のシステム全体構成図である。
図１に示すように、本実施形態の遠隔地作物栽培支援システムは、遠隔作物栽培監視センタサーバ１（以下、監視センタサーバ１と略す）、ＷＥＢカメラ２、農家３、遠隔栽培者の一般家庭４、５および作物購入者の一般家庭６，７、遠隔作物配送センタ８（以下、配送センタ８と略す）、スーパー９及び銀行１０から構成される。
ＷＥＢカメラ２は、作物の栽培状況を画像で遠隔作物栽培監視センタ８に送信し、遠隔作物栽培監視センタ８から遠隔栽培者である一般家庭４，５（以下、遠隔栽培者）に生育状況の画像が配信される。
また、これらの画像と共に、「芽が出た」、「花が咲いた」、「収穫ＯＫ」などのイベント情報がメールで遠隔栽培者４，５に送付される。さらに、遠隔栽培者４，５は事前に収穫量と作物お届け先を事前登録しておき、予め設定していた収穫量を超えた場合は、お歳暮やお中元などとして、お届け先住所に自動で作物が届けられる。その他、余剰の収穫物はスーパー９や一般家庭などから購入希望者を募集して有料で販売することにより、収入を得ることができる。
【０００９】
図２は遠隔作物栽培監視センタサーバ１の機能構成図である。
遠隔作物栽培監視センタサーバ１は、ＣＰＵ２４、外部インタフェース出力制御装置２５、キー入力装置２６、ディスプレイ装置２７、外部記憶装置２８、メモリ１００で構成されている。
メモリ１００内には、顧客情報収集処理部１１、栽培情報設定機能１２、農家情報収集処理部１３、栽培状況確認機能１４、在庫管理機能１５、栽培情報購入機能１６、作物購入機能１７を構成するプログラムが記憶されている。
外部記憶装置２７には、顧客情報テーブル１８、農家情報テーブル１９、在庫情報テーブル２０、作物情報テーブル２１、栽培ノウハウ情報テーブル２２、収穫情報テーブル２３が記憶されるようになっている。
【００１０】
顧客情報収集処理部１１では項目チェック処理１１０で顧客の入力情報の妥当性をチェックし、顧客識別番号付与１１１で顧客ＩＤを付与し、顧客情報登録処理１１２で顧客情報テーブル１８、または農家情報テーブル１９を更新する。
【００１１】
栽培情報設定機能１２では畑選択処理１２０で畑・栽培作物の選択をし、項目チェック処理１２１で入力情報の妥当性をチェックし、データ登録処理１２２で顧客情報テーブル１８を更新する。
【００１２】
農家情報収集処理部１３では畑情報登録処理１３０で畑情報、作物登録処理１３１で作物情報を入力し、登録する作物が新規作物の場合は作物ＩＤ付与１３２で作物ＩＤを付与後、作物情報テーブル２１の更新を行なう。その後、農家情報登録処理で農家情報テーブル１９の更新を行なう。
【００１３】
栽培状況確認機能１４では、栽培状況画像受信処理１４０でＷＥＢカメラ２からの栽培状況画像を受信し、栽培状況画像配信処理１４１で遠隔栽培者４，５に画像を配信する。また、栽培状況登録処理１４２で農家から栽培状況を登録してもらい、メール配信処理１４３で遠隔栽培者４，５に状況を通知する。
【００１４】
在庫管理機能１５では、収穫情報登録処理１５０で収穫情報テーブル２３および在庫情報テーブル２０を更新し、購買情報登録処理１５１で在庫情報テーブル２０を更新する。
【００１５】
栽培情報購買機能１６では購買受付処理１６０で遠隔栽培者４，５からの栽培ノウハウの購買希望を受付、ノウハウ検索処理１６１で登録済みノウハウの検索を行ない、ノウハウ配信処理１６２で遠隔栽培者にノウハウを提供し、口座振込み処理１６３でノウハウ提供者の口座に振り込み手続きを行なう。
【００１６】
作物購買機能１７では購入受付処理１７０で一般家庭６やスーパー９からの購入希望を受付後、配送指示処理１７１で遠隔作物配送センタ８に配送指示を行ない、在庫情報更新処理１７２で在庫情報テーブル２０を更新、口座振込み処理１７３で遠隔栽培者４，５の口座に販売金の振り込みを行なう。
【００１７】
図３は、監視センタサーバ１の顧客である栽培者、遠隔栽培者、購入者に関する顧客情報を収集して登録する顧客情報収集処理部１１の処理の流れを示したフローチャートである。
一般家庭端末３１、４１、５１，６１より入力された情報（ステップ３０１）を監視センタサーバ１で入力情報チェックを行なう（ステップ３０２）。入力された情報に誤りがある場合は一般家庭端末３１、４１，５１，６１にエラーメッセージを表示し（ステップ３０３）、処理を終了する（ステップ３０４）。入力項目が正常の場合は顧客ＩＤを自動で付与し（ステップ３０５）、顧客ＩＤと入力情報を顧客情報テーブル１８に格納する（ステップ３０６）。利用者に対して顧客ＩＤを通知する（ステップ３０７）。
【００１８】
図４は、監視センタサーバ１の顧客である栽培者、遠隔栽培者、購入者に関する顧客情報を登録する時の登録画面の一例を示した図である。
登録画面４０１では、利用者登録に必要な各種情報（氏名、住所及び電話番号など）を入力する。また、登録者の利用形態に合わせ、「栽培者」、「遠隔栽培者」、「購入者」の中から利用形態を選択する。
「栽培者」は畑を提供し、遠隔栽培者の作物を実際に栽培する人である。
「遠隔栽培者」は、栽培者の提供する畑を利用し、Ｗｅｂを利用し作物を栽培する人である。
「購入者」は「遠隔栽培者」が収穫し、インターネット販売する作物を購入する人である。
【００１９】
図５は、利用者登録画面にて「栽培者」を選択した場合に、栽培者が栽培可能な農地面積などの畑情報を登録するときの処理の流れを示したフローチャートである。
利用者登録画面にて「栽培者」を選択した場合、農家に設置された農家端末３１より入力されたログイン情報（ステップ５０１）を監視センタサーバ１で認証チェックを行なう（ステップ５０２）。入力された情報に誤りがある場合は農家端末３１にエラーメッセージを表示し（ステップ５０３）、処理を終了する（ステップ５０４）。入力項目が正常の場合は農家端末３１で入力された畑情報と栽培可能作物情報を受付ける（ステップ５０５）。農家端末３１より栽培可能作物情報を受付けたならば（ステップ５０６）を監視センタサーバ１で作物情報テーブル２１の検索を行なう（ステップ５０７）。
入力された作物情報が登録済みの場合は、農家情報テーブル１９を更新する（ステップ５０８）。未登録の作物情報の場合は、新たに作物ＩＤを付与し（ステップ５０９）、作物情報テーブル２１を更新後（ステップ５１０）、農家情報テーブル１９を更新する（ステップ５０８）。
【００２０】
図６は畑情報登録時の登録画面の一例を示した図である。
登録画面６０１では、畑情報登録に必要な敷地面積、空き面積を入力する。また、登録する畑で栽培可能な作物を選択する。既に登録されている作物は、プルダウンメニューから選択し、栽培時期を入力する。まだ登録されていな新たな作物を登録する場合は、テキストエリアにその作物を入力する。
【００２１】
図７は栽培情報設定機能１２における栽培情報の登録処理の流れを示したフローチャートである。
利用者登録画面にて「遠隔栽培者」を選択した場合に、本情報の登録が必要となる。遠隔栽培者端末４１，５１が監視センタサーバ１にログインした場合（ステップ７０１）、そのログイン情報を監視センタサーバ１で認証チェックを行なう（ステップ７０２）。入力された情報に誤りがある場合は遠隔栽培者端末４１，５１にエラーメッセージを表示し（ステップ７０３）、処理を終了する（ステップ７０４）。入力項目が正常の場合は、農家情報テーブル１９を検索し（ステップ７０５）、畑情報を表示する（ステップ７０６）。
これに対して遠隔栽培者が所望の畑を選択し、その畑情報が入力されたならば（ステップ７０７）、農家情報テーブル１９を検索し（ステップ７０８）、遠隔栽培者が選択した畑において栽培可能作物情報の一覧を遠隔栽培者端末４１，５１に返信して表示させる（ステップ７０９）。
これに対して、遠隔栽培者が所望の作物を選択し、その作物情報と付加情報が入力されたならば（ステップ７１０）、その作物情報と付加情報を顧客情報テーブルの当該顧客の記憶レコードに登録して更新する（ステップ７１２）。
付加情報とは、収穫目標値としての閾値と、その閾値を超えた収穫物を有料または無料で配送するための配送先氏名や住所などの届け先情報のことである。
【００２２】
図８は栽培情報登録時の登録画面の一例を示した図である。
登録画面８０１では、栽培情報登録に必要な畑、栽培作物を選択する。また、付加サービス情報として、閾値（収穫目標値）とお届け先情報を入力する。登録した閾値を超えた場合は、お歳暮やお中元などとして、お届け先住所に無料で作物が届けられる。お歳暮やお中元として配送した分を除いてもさらに収穫物が残るような場合には、インターネットを通じてスーパー９や一般家庭７からの希望者を募集し、それらの希望者に有料で配送される。
【００２３】
図９は栽培状況確認機能１４における処理の流れを示したフローチャートである。
監視センタサーバ１はＷＥＢカメラ２からの栽培画像を定期的に受信し（ステップ９０１）、その栽培画像を遠隔栽培者端末４１，５１へ配信する（ステップ９０２）。
また、農家端末３１よりログイン情報が入力された場合には（ステップ９０３）認証チェックを行ない（ステップ９０４）、入力された情報に誤りがある場合は農家端末３１にエラーメッセージを送信して表示させ（ステップ９０５）、処理を終了する（ステップ９０６）。入力情報が正常の場合は農家端末３１から送信された栽培情報を受付け（ステップ９０７）、その現在の生育状況などの栽培情報を記録したメールを作成し、遠隔栽培者端末４１，５１へ配信する（ステップ９０８）。
【００２４】
図１０は在庫管理機能１５の処理の流れを示したフローチャートである。
監視センタサーバ１は、配送センタ８より入力された情報（農地で収穫された収穫物の情報）を受信した場合（ステップ１００１）、その入力情報のチェックを行なう（ステップ１００２）。入力情報に誤りがある場合は配送センタ８にエラーメッセージを送信し（ステップ１００３）、処理を終了する（ステップ１００４）。
入力情報が正常の場合は収穫情報テーブル２３の更新（ステップ１００５）と、在庫情報テーブルの更新（ステップ１００６）を行なう。
また、スーパー９の端末より仕入れ申し込み情報を受信した場合（ステップ１００７）、その仕入れ申し込み情報を受付け（ステップ１００８）、仕入れ申し込み量に対応可能であれば、在庫情報テーブル２０から仕入れ申し込み分の在庫量を減算した後（ステップ１００９）、配送センタ８へ配送を指示する（ステップ１０１０）。
配送センタ８は仕入れ申し込みを受けたスーパー９へ配送し（ステップ１０１１）、配送完了通知を監視センタサーバ１へ通知する（ステップ１０１２）。
【００２５】
図１１は栽培情報購買機能１６の処理の流れを示したフローチャートである。
監視センタサーバ１は、遠隔栽培に関するノウハウを他の遠隔栽培者に有料で教授するために１つの遠隔栽培者端末５１よりログイン情報を受信したならば（ステップ１１０１）、そのログイン情報をチェックし（ステップ１１０２）、入力されたログイン情報に誤りがある場合は遠隔栽培者端末５１にエラーメッセージを送信し（ステップ１１０３）、処理を終了する（ステップ１１０４）。
ログイン情報が正しい場合は、遠隔栽培者端末５１より入力された栽培ノウハウ情報（ステップ１１０５）をもとにノウハウ情報テーブル２２を更新する（ステップ１１０６）。
これに対し、遠隔栽培に関するノウハウを知るために、１つの遠隔栽培者端末４１よりログイン情報を受信したならば（ステップ１１０７）、そのログイン情報をチェックし（ステップ１１０８）、誤りがある場合は遠隔栽培者端末４１にエラーメッセージを送信し（ステップ１１０９）、処理を終了する（ステップ１１１０）。
ログイン情報に誤りが無かった場合には、遠隔栽培者端末４１より入力されたノウハウ情報購入申し込み情報（ステップ１１１１）をもとにノウハウ情報テーブル２２を検索し（ステップ１１１２）、その検索結果のノウハウ情報を購入希望の遠隔栽培者端末４１に配信した後（ステップ１１１３）、ノウハウ情報を提供した提供元の遠隔栽培者へに対して情報提供料の口座振込み手続きを行なう（ステップ１１１４）。
【００２６】
図１２は、作物購買機能１７の処理の流れを示したフローチャートである。
遠隔栽培者以外の一般家庭７の端末よりログイン情報を受信したならば（ステップ１２０１）、そのチェックを行ない（ステップ１２０２）、誤りがある場合は一般家庭７の端末にエラーメッセージを送信し（ステップ１２０３）、処理を終了する（ステップ１２０４）。
ログイン情報に誤りが無ければ、在庫情報テーブル２０を検索し（ステップ１２０５）、購入可能作物情報を送信して表示させる（ステップ１２０６）。
これに対して、一般家庭７の端末から収穫物の購入申し込み情報（ステップ１２０７）が入力されたならば、これを受付け（ステップ１２０８）、在庫情報テーブル２０を更新する（ステップ１２０９）。そして、購入結果を一般家庭７の端末に送信して表示させ（ステップ１２１０）、口座振込み処理を行ない（ステップ１２１１）、配送センタ８へ配送を指示する（ステップ１２１２）。配送センタ８では購入申し込みを行った一般家庭７へ作物を配送し（ステップ１２１３）、配送完了後、監視センタサーバ１へ配送完了通知を行なう（ステップ１２１４）。
【００２７】
図１３は作物購買機能１７における作物自動お届けサービス処理の流れを示したフローチャートである。
監視センタサーバ１は、収穫情報テーブル２３を検索し、収穫量に変化があったデータを抽出する（ステップ１３０１）。顧客情報テーブル１８を検索し（ステップ１３０２）、収穫量の変化データと、予め登録していた閾値を比較する（ステップ１３０３）。収穫量が閾値未満の場合は処理を終了する（ステップ１３０４）。
収穫量が閾値より大きい場合は、作物のお届け先情報を抽出し（ステップ１３０５）、配送センタ８へ配送を指示し（ステップ１３０６）、在庫情報テーブル２０を更新する（ステップ１３０７）。
配送センタ８はお届け先情報で指定された届け先へ配送し（ステップ１３０８）、配送完了通知を監視センタサーバ１へ通知する（ステップ１３０９）。
【００２８】
図１４は収穫情報入力時の登録画面の一例を示した図である。
登録画面１４０１では、遠隔地栽培者のユーザＩＤを入力し、決定ボタンをクリックすることで、その遠隔栽培者の栽培作物が一覧で表示される。表示された各作物の収穫量を入力し、収穫量を登録する。
【００２９】
図１５は作物購入申し込み時の申し込み画面の一例を示した図である。
ログイン画面１５０１では、遠隔利用者のユーザＩＤとパスワードを入力する。ログイン認証後に表示されるメニュー画面１５０２では、栽培状況のライブ中継、栽培ノウハウ購入、遠隔栽培の申し込み、栽培者からのメッセージなどのサービスを利用できる。また栽培者が入力した新着情報、おすすめ情報なども表示される。
【００３０】
図１６は作物購入申し込み時の申し込み画面の一例を示した図である。
申し込み画面１６０１では、購入可能な作物の一覧から購入する個数を入力する。入力後、購入申し込み確認画面１６０２が表示され、申し込みボタンをクリックすると申し込みが完了する。
【００３１】
図１７は栽培ノウハウ登録時の登録画面の一例を示した図である。
栽培ノウハウ入力画面１７０１では、遠隔栽培者が作物栽培を経験した中で得た栽培ノウハウの新規登録、変更を行なうことができる。画面１７０２は、栽培ノウハウの具体的な作物、タイトル、内容及び販売金額（情報提供料）を登録する。
【００３２】
図１８は栽培ノウハウ購入時の購入画面の一例を示した図である。
購入画面１８０１では、購入したい作物をプルダウンメニューから選択することで、その作物の栽培ノウハウが一覧で表示される。購入したいノウハウを選択することで栽培ノウハウを購入することができる。
【００３３】
図１９は、顧客情報テーブル１８の一例を示した図である。
ここで例示する顧客情報テーブル１８は、各顧客のＩＤを登録する顧客ＩＤ１９０１、顧客の氏名１９０２、住所１９０３、電話番号１９０４、パスワード１９０５、顧客が「遠隔栽培者」であることを表す利用形態“１”１９０６、収穫目標となる閾値１９０７、作物のお届け先氏名（１）１９０８、お届け先住所（１）１９０９、お届け先電話番号（１）１９１０、作物のお届け先氏名（２）１９１１、お届け先住所（２）１９１２、お届け先電話番号（２）１９１３、作物のお届け先氏名（３）１９１４、お届け先住所（３）１９１５、お届け先電話番号（３）１９１６から構成される。
【００３４】
図２０は、農家情報テーブル１９の一例を示した図である。
ここで例示する農家情報テーブル１９は、農家（顧客）のＩＤを登録する顧客ＩＤ２００１、顧客の氏名２００２、住所２００３、電話番号２００４、パスワード２００５、顧客が「栽培者」であることを表す利用形態“０”２００６、敷地面積２００７、空き面積２００８から構成されるテーブルと、各顧客のＩＤを登録する顧客ＩＤ２００９、農家で栽培している作物の作物ＩＤ２０１０、栽培時期２０１１から構成される。
【００３５】
図２１は、作物の在庫情報テーブル２０の一例を示した図である。
ここで例示する在庫情報テーブル２０は、顧客のＩＤを登録する顧客ＩＤ２１０１、栽培している作物の作物ＩＤ２１０２、栽培している作物の在庫量２１０３から構成される。
【００３６】
図２２は、作物情報テーブル２１の一例を示した図である。
ここで例示する作物情報テーブル２１は、作物ＩＤを登録する作物ＩＤ２２０１、作物の名称２２０２、作物の価格２２０３から構成される。
【００３７】
図２３は、栽培ノウハウ情報テーブル２２の一例を示した図である。
ここで例示する栽培ノウハウ情報テーブル２２は、ノウハウ登録者を登録する登録者ＩＤ２３０１、ノウハウ情報の対象となる作物の作物ＩＤ２３０２、ノウハウ情報のタイトル２３０３、ノウハウの内容２３０４、ノウハウ情報の価格２３０５から構成される。
【００３８】
図２４は、収穫情報テーブル２３の一例を示した図である。
ここで例示する収穫情報テーブル２３は、各栽培者のＩＤを登録する栽培者ＩＤ２４０１、各顧客のＩＤを登録する顧客ＩＤ２４０２、収穫した作物のＩＤを登録する作物ＩＤ２４０３、作物の収穫量を登録する収穫量２４０４から構成される。
【図面の簡単な説明】
【００３９】
【図１】本発明に係る遠隔地作物栽培支援システムの全体構成図である。
【図２】遠隔作物栽培監視センタサーバの機能構成図である。
【図３】顧客情報収集処理部における利用者登録処理を示すフローチャートである。
【図４】顧客情報収集処理部における利用者登録画面の例を示す図である。
【図５】顧客情報収集処理部における畑情報登録処理を示すフローチャートである。
【図６】畑情報登録画面（栽培者）の例を示す図である。
【図７】栽培情報設定機能における栽培情報登録処理を示すフローチャートである。
【図８】栽培情報登録画面（遠隔栽培者）の例を示す図である。
【図９】栽培状況確認機能１４における栽培状況確認処理を示すフローチャートである。
【図１０】在庫管理機能１５における在庫管理処理を示すフローチャートである。
【図１１】栽培情報購買機能における栽培ノウハウ購買処理を示すフローチャートである。
【図１２】作物購買機能における作物購買処理を示すフローチャートである。
【図１３】作物購買機能における作物自動お届けサービス処理を示すフローチャートである。
【図１４】収穫情報入力画面の例を示す図である。
【図１５】ログイン・メニュー画面（遠隔栽培者）の例を示す図である。
【図１６】購入申し込み画面（一般家庭）の例を示す図である。
【図１７】栽培ノウハウ入力画面（栽培者）の例を示す図である。
【図１８】栽培ノウハウ購入画面の例を示す図である。
【図１９】顧客情報テーブルの例を示す図である。
【図２０】農家情報テーブルの例を示す図である。
【図２１】在庫情報テーブルの例を示す図である。
【図２２】作物情報テーブルの例を示す図である。
【図２３】栽培ノウハウ情報テーブルの例を示す図である。
【図２４】収穫情報テーブルの例を示す図である。
【符号の説明】
【００４０】
１    遠隔作物栽培監視センタサーバ
２    ＷＥＢカメラ
３    農家
４    一般家庭（遠隔栽培者）
６    一般家庭（作物購入者）
７    一般家庭（配送先）
８    遠隔作物配送センタ
９    スーパー
１１    顧客情報収集処理部
１７    作物購買機能
２０    在庫情報テーブル
２３    収穫情報テーブル
２４    ＣＰＵ
１００    メモリ
【図１】
2007011587.tif 000003
【図２】
2007011587.tif 000004
【図３】
2007011587.tif 000005
【図４】
2007011587.tif 000006
【図５】
2007011587.tif 000007
【図６】
2007011587.tif 000008
【図７】
2007011587.tif 000009
【図８】
2007011587.tif 000010
【図９】
2007011587.tif 000011
【図１０】
2007011587.tif 000012
【図１１】
2007011587.tif 000013
【図１２】
2007011587.tif 000014
【図１３】
2007011587.tif 000015
【図１４】
2007011587.tif 000016
【図１５】
2007011587.tif 000017
【図１６】
2007011587.tif 000018
【図１７】
2007011587.tif 000019
【図１８】
2007011587.tif 000020
【図１９】
2007011587.tif 000021
【図２０】
2007011587.tif 000022
【図２１】
2007011587.tif 000023
【図２２】
2007011587.tif 000024
【図２３】
2007011587.tif 000025
【図２４】
2007011587.tif 000026